(57)【特許請求の範囲】
【請求項１】
先端側に開口部が設けられる吐水管と、
前記開口部から引き出し可能な給水ホースと、
前記給水ホースが接続され、該給水ホースから供給される水を吐き出し可能な吐水ヘッドと、
前記吐水ヘッドを着脱可能に保持する保持部と、前記吐水管の内周面と対向する位置に形成される収容部とを有するヘッド装着部材と、
前記収容部内に収容される固定具と、を備え、
前記ヘッド装着部材は、前記吐水管と前記固定具を締結具により締結することによって、該吐水管に対する位置が保持され、
前記固定具は、前記収容部に対して前記吐水管の径方向に相対変位可能に設けられることを特徴とする吐水装置。
【請求項２】
前記収容部の内壁面と前記固定具との間に介装される弾性部材を備えることを特徴とする請求項１に記載の吐水装置。
【請求項３】
前記ヘッド装着部材は、前記弾性部材により前記吐水管の管軸方向に付与される弾性復元力によって、前記吐水管の一部に押し当てられた状態で保持されることを特徴とする請求項２に記載の吐水装置。
【請求項４】
前記吐水管内に配置される電装部材を備え、
前記ヘッド装着部材は、前記吐水管内にて前記電装部材を支持することにより、該吐水管内での該電装部材の位置を保持する支持部を有することを特徴とする請求項１から３のいずれかに記載の吐水装置。
【発明の詳細な説明】
【技術分野】
【０００１】
本発明は、吐水管から給水ホースを引き出し可能な吐水装置に関する。
【背景技術】
【０００２】
従来より、センサを用いて、吐水の有無を自動的に切り替え可能な自動水栓が広く知られている。この自動水栓としてはホース引き出し式のものが提案されている。この自動水栓では、一般に、キッチンシンク等に吐水管が支持され、吐水管の先端開口部から給水ホースが引き出し可能に設けられる。給水ホースには吐水ヘッドが接続され、吐水ヘッドは、吐水管の先端開口部に固定されるヘッド装着部材に着脱可能に保持される（特許文献１参照）。
【０００３】
この種の自動水栓は、通常、吐水管にヘッド装着部材を固定するための固定具を、ヘッド装着部材にインサート成形により埋め込んで一体化している。固定具にはビス等の締結具をねじ込むための雌ねじ孔が形成される。ヘッド装着部材は、吐水管と固定具を締結具により締結することによって吐水管に固定される。
【先行技術文献】
【特許文献】
【０００４】
【特許文献１】特許第５２４７３９２号公報
【発明の概要】
【発明が解決しようとする課題】
【０００５】
ところで、吐水管の内周面とヘッド装着部材の間には、製造誤差等に起因して隙間が生じることがある。従来の構造では、これらの間に隙間があると、固定具に対する締結具の締め付け量を大きくしたときに、固定具がヘッド装着部材とともに締結具の軸方向に引っ張られてしまう。よって、締結具の締め付け量によって吐水管の径方向でのヘッド装着部材の相対位置が変化してしまい、吐水管に対してヘッド装着部材を定位置に配置し難くなっている。吐水管に対するヘッド装着部材の位置ずれが大きくなると、ヘッド装着部材に保持される吐水ヘッドの位置ずれも大きくなり、吐水ヘッドの外周面と吐水管の外周面との間で大きな段差が生じることで意匠性の低下を招きかねない。
【０００６】
本発明は、このような課題に鑑みてなされ、その目的は、締結具の締め付け量によらず吐水管に対してヘッド装着部材を定位置に配置し易くできる吐水装置を提供することにある。
【課題を解決するための手段】
【０００７】
上記課題を解決するために、本発明のある態様の吐水装置は、先端側に開口部が設けられる吐水管と、開口部から引き出し可能な給水ホースと、給水ホースが接続され、給水ホースから供給される水を吐き出し可能な吐水ヘッドと、吐水ヘッドを着脱可能に保持する保持部と、吐水管の内周面と対向する位置に形成される収容部とを有するヘッド装着部材と、収容部内に収容される固定具と、を備え、ヘッド装着部材は、吐水管と固定具を締結具により締結することによって、吐水管に対する位置が保持され、固定具は収容部に対して吐水管の径方向に相対変位可能に設けられる。
この態様によれば、固定具に対する締結具の締め付け量が大きくなった場合でも、ヘッド装着部材の収容部内にて固定具が吐水管の径方向に変位する。この結果、締結具の軸方向にヘッド装着部材が引っ張られるのを防止でき、締結具の締め付け量によらず吐水管に対してヘッド装着部材を定位置に配置し易くなる。
【０００８】
前述の態様において、収容部の内壁面と固定具との間に介装される弾性部材を備えてもよい。
この態様によれば、吐水管及び固定具に対してヘッド装着部材が相対変位しようとしたとき、その相対変位量が増大するほど弾性部材の弾性変形量が大きくなる。この結果、ヘッド装着部材の変位方向とは反対方向に弾性部材からヘッド装着部材に付与される弾性復元力が大きくなることで、ヘッド装着部材の相対変位が効果的に抑えられ、吐水管に対するヘッド装着部材のがたつきを抑えられる。
【０００９】
前述の態様において、ヘッド装着部材は、弾性部材により吐水管の管軸方向に付与される弾性復元力によって、吐水管の一部に押し当てられた状態で保持されてもよい。
この態様によれば、吐水管の管軸方向でのヘッド装着部材のがたつきを許容する隙間をなくした状態にできるうえ、弾性部材の弾性復元力によりヘッド装着部材が吐水管の一部から離れにくくなるため、吐水管に対するヘッド装着部材のがたつきを更に抑えられる。
【００１０】
前述の態様において、吐水管内に配置される電装部材を更に備え、ヘッド装着部材は、吐水管内にて電装部材を支持することにより、吐水管内での電装部材の位置を保持する支持部を有してもよい。
この態様によれば、前述のように締結具の締め付け量によらず吐水管に対してヘッド装着部材を定位置に配置し易くなるため、ヘッド装着部材の支持部により支持される電装部材も、締結具の締め付け量によらず定位置に配置し易くなる。
【発明の効果】
【００１１】
本発明によれば、締結具の締め付け量によらず吐水管に対してヘッド装着部材を定位置に配置し易くなる。
【図面の簡単な説明】
【００１２】
【図１】本実施形態に係る吐水装置が用いられるキッチンユニットの概略図である。
【図２】本実施形態に係る吐水装置を示す斜視図である。
【図３】本実施形態に係る吐水ヘッドを吐水管から取り外した状態を示す斜視図である。
【図４】本実施形態に係る吐水管の先端側部分での吐水装置の構成を示す側面断面図である。
【図５】本実施形態に係る吐水管の側面断面図である。
【図６】図４のＡ−Ａ線断面図である。
【図７】本実施形態に係るヘッド装着部材を吐水管の曲げ内側からを見た斜視図である。
【図８】図４の符号Ｂが示す箇所の拡大図である。
【図９】図８の方向Ｄから収容部を見た図である。
【図１０】本実施形態に係る固定具の斜視図である。
【図１１】本実施形態に係る固定具から締結具を取り外した状態を示す図である。
【図１２】本実施形態に係る固定具の孔部に締結具の軸部を差し込んだ状態を示す図である。
【図１３】本実施形態に係るヘッド装着部材に対してＯリングにより付与される弾性復元力を示す図である。
【発明を実施するための形態】
【００１３】
以下、実施形態、変形例では、同一の構成要素に同一の符号を付し、重複する説明を省略する。また、各図面では、説明の便宜のため、構成要素の一部を適宜省略する。
【００１４】
図１は本実施形態に係る吐水装置１０が用いられるキッチンユニット１００の概略図である。キッチンユニット１００はカウンターに設けられるシンク１０２を備える。シンク１０２には着座部１０４が設けられる。着座部１０４には、正面から見て左右両側のそれぞれに温度調整機能がある吐水装置１０と、浄水供給用の他の吐水装置１０６とが設置される。
【００１５】
図２は吐水装置１０を示す斜視図である。吐水装置１０は自動水栓である。吐水装置１０は、シンク１０２（本図では不図示）に固定される支持部材１４と、支持部材１４によりシンク１０２に対して支持される吐水管１６と、後述するヘッド装着部材２８（不図示）を介して吐水管１６に着脱可能に保持される吐水ヘッド１８とを備える。図３は吐水ヘッド１８を吐水管１６から取り外した状態を示す斜視図である。吐水装置１０は、吐水ヘッド１８をヘッド装着部材２８から取り外すとき、吐水管１６から引き出し可能な給水ホース２０を更に備える。
【００１６】
図４は吐水管１６の先端側部分での吐水装置１０の構成を示す側面断面図である。吐水装置１０は、吐水管１６内に配置される第１センサ部材２４及び第２センサ部材２６と、吐水管１６内に配置されるヘッド装着部材２８とを更に備える。ヘッド装着部材２８は、後述する固定具４２及び締結具４４を用いて、吐水管１６に対する位置が保持される。吐水装置１０は、図８等を用いて後述するように、固定具４２等の周辺構造に一つの特徴があるが、先に他の特徴を説明する。
【００１７】
図５は吐水管１６の側面断面図である。吐水管１６は、図３、図５に示すように、吐水管１６の管軸方向に沿って連続する内部空間が形成される本管部１６ａと、本管部１６ａの中間部から先端側にかけての少なくとも一部の範囲において、本管部１６ａの径方向外側に形成される膨出部１６ｂとを有する。吐水管１６は、金属を素材とする鋳物品であり、バルジ加工により膨出部１６ｂを形成しているが、樹脂成形等により製造してもよい。
【００１８】
本管部１６ａは、図５に示すように、基端側から先端側に向かうにつれて、上方から下方に折り返すように逆Ｕ字状に湾曲した形状であり、いわゆるグースネック状に形成される。本管部１６ａの先端部には第１開口部１６ｄが設けられる。本管部１６ａには第１開口部１６ｄより奥側に第１窓部１６ｅ及び第２窓部１６ｆが形成される。膨出部１６ｂは、本管部１６ａから曲げ内側（図中下側）に向けて膨らみ出るように形成される。膨出部１６ｂは、本管部１６ａの中間部から先端側にかけての範囲において、本管部１６ａ内と連通するように中空に形成される。膨出部１６ｂの先端部には第２開口部１６ｇが設けられる。
【００１９】
本管部１６ａには、膨出部１６ｂより吐水管１６の先端側に向けて突き出る先端側部分１６ｈが設けられる。先端側部分１６ｈには、本管部１６ａの周方向の一部を切り欠いた形状の第３開口部１６ｉが形成される。吐水管１６の内側に各センサ部材２４、２６、ヘッド装着部材２８等を配置するとき、これらは各開口部１６ｄ、１６ｇ、１６ｉを通して出し入れされる。
【００２０】
図４に戻り、給水ホース２０は、吐水ヘッド１８に給水するためのものである。給水ホース２０は、吐水管１６内に挿通されるとともに、吐水管１６の第２開口部１６ｇから引き出し可能である。給水ホース２０は、可撓性をもつ素材により構成される。給水ホース２０の下流端部２０ａは吐水ヘッド１８に接続される。給水ホース２０の上流端部（不図示）は吐水管１６の基端部からシンク１０２の裏側まで引き出されて電磁弁（不図示）に接続される。電磁弁は、後述する制御部から出力される信号に基づき閉弁又は開弁し、吐水ヘッド１８に対する給水の有無を切り替える。
【００２１】
吐水ヘッド１８は、給水ホース２０の接続位置とは反対側である先端側に吐水口１８ａが設けられる。吐水ヘッド１８の内部には通水路１８ｂが形成される。吐水ヘッド１８は、給水ホース２０から通水路１８ｂを通して供給される水を吐水口１８ａから吐き出し可能である。吐水ヘッド１８の外周面は、ヘッド装着部材２８に保持されるとき、吐水管１６の膨出部１６ｂの外周面と面一となるように形成される。
【００２２】
第１センサ部材２４はヘッド装着部材２８に設けられるセンサ搭載部２８ａに搭載される。第２センサ部材２６はヘッド装着部材２８の支持部２８ｂ（後述する）により支持される。
【００２３】
第１センサ部材２４には、吐水管１６の管軸方向先端側における被検知物の有無を検知するための第１物体検知センサ（不図示）が搭載される。第２センサ部材２６には、吐水管１６の第２窓部１６ｆの外側における被検知物の有無を検知するための第２物体検知センサ（不図示）や、電磁弁を開閉制御するための制御部（不図示）が搭載される。第１物体検知センサは赤外線式測距センサであり、第２物体検知センサは赤外線式光量センサである。つまり、何れも非接触式センサである。各物体検知センサは、赤外光を検知光として用いて被検知物の有無を検知し、検知結果を示す信号を制御部に出力する。制御部は回路基板に搭載されるマイコン等により構成される。制御部は、第１物体検知センサ等から出力される信号を用いて電磁弁を開閉制御することによって、吐水ヘッド１８の吐水動作を制御する。また、第２センサ部材２６には、制御部による第１物体検知センサの制御の有無を切り替えるためのオンオフスイッチ３８が搭載される。
【００２４】
第２センサ部材２６は、吐水管１６の管軸方向に長く扁平な長尺体であり、吐水管１６の本管部１６ａの湾曲に応じて湾曲する形状を有する。図６は図４のＡ−Ａ線断面図である。本図では第２センサ部材２６全体にハッチングを付して示し、内部構造を省略する。第２センサ部材２６には、図４、図６に示すように、吐水管１６の第２窓部１６ｆに嵌め込まれる嵌合部２６ｃが設けられる。第２センサ部材２６の嵌合部２６ｃの露出面２６ｄは、吐水管１６の本管部１６ａの外周面と面一となるように形成される。吐水管１６の第１窓部１６ｅには、図４に示すように、オンオフスイッチ３８の一部が嵌め込まれる。第２センサ部材２６は、オンオフスイッチ３８の第１窓部１６ｅへの嵌め込みや、嵌合部２６ｃの第２窓部１６ｆへの嵌め込みにより、吐水管１６の管軸方向とともに周方向に位置決めされる。
【００２５】
図７は吐水管１６の曲げ内側からヘッド装着部材２８を見た斜視図である。ヘッド装着部材２８は、樹脂を素材とする一体成形品であり、後述する支持部２８ｂ、保持部２８ｇ等が一体成形される。ヘッド装着部材２８は、図４、図７に示すように、吐水管１６の第１開口部１６ｄを塞ぐ第１端面部２８ｃと、吐水管１６の第３開口部１６ｉを塞ぐ周面部２８ｄと、吐水管１６の第２開口部１６ｇを塞ぐ第２端面部２８ｅと、を有する。第１端面部２８ｃには第１センサ部材２４の一部が嵌め込まれるセンサ窓部２８ｆが形成される。
【００２６】
第２端面部２８ｅには、スナップフィット方式等により、吐水ヘッド１８を着脱可能に保持する保持部２８ｇが設けられる。保持部２８ｇは吐水管１６の第２開口部１６ｇから外側に突き出るように設けられる。保持部２８ｇは筒状に形成され、その内側を通して吐水管１６の外内が連通される。保持部２８ｇ内には給水ホース２０が挿通される。吐水ヘッド１８には、図４に示すように、吐水口１８ａとは反対側の基端部に被保持部１８ｃが設けられる。被保持部１８ｃは筒状に形成され、その内側にヘッド装着部材２８の保持部２８ｇが差し込まれる。
【００２７】
ヘッド装着部材２８は、図４、図６に示すように、吐水管１６内に設けられる支持部２８ｂを有する。支持部２８ｂは本管部１６ａの湾曲に応じて湾曲する板状の形状を有する。支持部２８ｂは、第２センサ部材２６に対して各窓部１６ｅ、１６ｆとは反対側に配置され、第２センサ部材２６に面接触するように当接する。支持部２８ｂは、吐水管１６内にて第２センサ部材２６を径方向内側から押し上げるように支持することにより、吐水管１６内での第２センサ部材２６の位置を保持する。
【００２８】
ヘッド装着部材２８は、吐水管１６内に設けられる脚部２８ｉを有する。脚部２８ｉは、支持部２８ｂから第２センサ部材２６とは反対側に向けて延びる。支持部２８ｂは、吐水管１６の管軸方向に直交する横断面（以下、単に吐水管１６の横断面という）において、第２センサ部材２６の幅方向に沿って横断するように延びる。脚部２８ｉの先端部２８ｉａは、吐水管１６の横断面において、吐水管１６の内周面に面接触するように周方向に延びる。ヘッド装着部材２８は、支持部２８ｂの幅方向両端部や脚部２８ｉの先端部２８ｉａと吐水管１６との接触や、支持部２８ｂと第２センサ部材２６との接触により、吐水管１６内で周方向及び径方向に位置決めされる。
【００２９】
図８は図４の符号Ｂが示す箇所の拡大図である。ヘッド装着部材２８は、吐水管１６の第２開口部１６ｇの近傍において、吐水管１６の内周面と対向する位置に形成される収容部２８ｋを有する。収容部２８ｋは、吐水管１６の膨出部１６ｂの曲げ内側部分と対向する位置に形成される。収容部２８ｋは、吐水管１６の内周面から離れる方向に窪むように形成される貫通孔である。
【００３０】
図９は図８の方向Ｄから収容部２８ｋを見た図である。収容部２８ｋは、図８、図９に示すように、吐水管１６の内周面側に設けられる入口部２８ｋａと、入口部２８ｋａより奥側に設けられる回転規制部２８ｋｂとを有する。入口部２８ｋａと回転規制部２８ｋｂの間には入口部２８ｋａ側に臨む段差部が設けられる。入口部２８ｋａは、収容部２８ｋの中心軸の軸線方向に直交する断面形状が円形状に形成され、回転規制部２８ｋｂは四角形状に形成される。
【００３１】
吐水装置１０は、図８に示すように、収容部２８ｋ内に収容される固定具４２を備える。固定具４２は金属製である。固定具４２は、収容部２８ｋに対して吐水管１６の径方向に相対変位可能に設けられる。
【００３２】
図１０は固定具４２の斜視図である。固定具４２は、図８、図１０に示すように、入口部２８ｋａ内に配置される頭部４２ａと、回転規制部２８ｋｂ内に配置される被規制部４２ｂとを備える。頭部４２ａは、収容部２８ｋの中心軸の軸線方向に直交する断面形状が円形状に形成される。被規制部４２ｂは、収容部２８ｋの軸線方向に直交する断面形状が四角形状に形成される。
【００３３】
図１１は固定具４２から締結具４４（後述する）を取り外した状態を示す図である。固定具４２の頭部４２ａの端面部には孔部４２ｄが形成される。孔部４２ｄは吐水管１６の内周面から離れる方向に窪むように形成される有底孔である。孔部４２ｄには孔部４２ｄの中心軸Ｌｃ１の軸線方向の中間部に雌ねじ部４２ｄａが形成される。雌ねじ部４２ｄａには、図８に示すように、ビス等の締結具４４がねじ込まれる。
【００３４】
頭部４２ａの外周面には、図８、図１０に示すように、孔部４２ｄの中心軸Ｌｃ１の軸線方向での中間部に径方向内側に窪むような溝状の格納部４２ｃが形成される。格納部４２ｃにはＯリング４６が格納される。Ｏリング４６は樹脂等の弾性をもつ素材により構成される弾性部材である。Ｏリング４６はヘッド装着部材２８の収容部２８ｋの内壁面と固定具４２との間に環状に介装される。Ｏリング４６は、固定具４２に対して吐水管１６の管軸方向の先端側及び奥側の両側に位置するように配置されることになる。
【００３５】
吐水管１６の膨出部１６ｂには、ヘッド装着部材２８の収容部２８ｋや固定具４２に対応する位置に挿通孔２８ｊが形成される。挿通孔２８ｊは吐水管１６の外側から内側に向けて締結具４４を挿通するためのものである。挿通孔２８ｊは吐水管１６の外側から内側に向かうにつれて縮径するようにテーパー状に形成される。
【００３６】
締結具４４はねじ山が形成される軸部４４ａと、軸部４４ａの一端側に設けられる頭部４４ｂとを有する。頭部４４ｂは吐水管１６の外側から内側に向かうにつれて縮径するようにテーパー状に形成される。締結具４４の頭部４４ｂは、挿通孔２８ｊの外側開口縁より内側に収まるように設けられる。
【００３７】
以上の固定具４２では、固定具４２の雌ねじ部４２ｄａに締結具４４をねじ込むとき、固定具４２の被規制部４２ｂとヘッド装着部材２８の回転規制部２８ｋｂとの係合により、締結具４４の軸方向周りでの固定具４２の回転が規制され、締結具４４を雌ねじ部４２ｄａにねじ込み可能となる。
【００３８】
ヘッド装着部材２８は、吐水管１６と固定具４２を締結具４４により締結することによって、吐水管１６に対する位置が保持される。以下では、締結具４４により締結される前後での固定具４２等の状態を説明する。
【００３９】
固定具４２から締結具４４を取り外したとき、Ｏリング４６は、図１１に示すように、ヘッド装着部材２８の収容部２８ｋと固定具４２との間で弾性変形した状態で保持される。これにより、固定具４２は、Ｏリング４６の弾性復元力によりヘッド装着部材２８の収容部２８ｋに対して保持されるため、ヘッド装着部材２８と一体に取り扱い可能になる。
【００４０】
ヘッド装着部材２８は、吐水管１６内に各開口部１６ｄ、１６ｇ、１６ｉから奥側に押し込んで入れたとき、吐水管１６の挿通孔２８ｊの中心軸Ｌｃ２よりも、固定具４２の孔部４２ｄの中心軸Ｌｃ１が吐水管１６の先端側にずれて位置するように設けられる。この状態にある固定具４２の雌ねじ部４２ｄａには締結具４４の軸部４４ａがねじ込まれる。このとき、締結具４４の軸部４４ａを通る軸線は、図１２に示すように、固定具４２の中心軸Ｌｃ１と合致するような位置に配置される。
【００４１】
この状態で締結具４４を締め付けると、締結具４４の頭部４４ｂが挿通孔２８ｊの内壁面と当接する。このとき、締結具４４の頭部４４ｂと挿通孔２８ｊはテーパー状に形成されるため、締結具４４の締め付け量が増すほど、締結具４４の軸部４４ａを通る軸線が挿通孔２８ｊの中心軸Ｌｃ２に近づく方向Ｅに、締結具４４が固定具４２とともに変位する。この方向Ｅとは、吐水管１６の管軸方向の奥側に向かう方向となる。
【００４２】
この結果、Ｏリング４６は、図８に示すように、固定具４２に対して管軸方向の奥側にある収容部２８ｋの内壁面と固定具４２との間で管軸方向に圧縮されるように弾性変形した状態で保持される。このＯリング４６の弾性変形量は、固定具４２に対して管軸方向の先端側にある部分より、奥側にある部分の方が大きくなる。これにより、ヘッド装着部材２８には、Ｏリング４６により管軸方向の奥側に向かう方向Ｆ１に弾性復元力が付与される。言い換えると、Ｏリング４６の一部は、吐水管１６と固定具４２を締結具４４により締結することによって、管軸方向に圧縮されるように弾性変形し、ヘッド装着部材２８にはＯリング４６により吐水管１６の管軸方向に弾性復元力が付与される。
【００４３】
ここで、図５に示すように、本管部１６ａの第１開口部１６ｄの内側には先端面より奥側に変位規制部１６ｊが設けられる。変位規制部１６ｊは、吐水管１６の先端側に臨むように本管部１６ａ内に設けられる段差面である。
【００４４】
ヘッド装着部材２８は、図１３に示すように、前述のＯリング４６により管軸方向の奥側に向かう方向Ｆ１に付与される弾性復元力によって、この吐水管１６の変位規制部１６ｊに第１端面部２８ｃの裏面を押し当てられた状態で、吐水管１６に対する位置が保持される。
【００４５】
以上の吐水装置１０による作用効果を説明する。
固定具４２はヘッド装着部材２８の収容部２８ｋに対して吐水管１６の径方向に相対変位可能に設けられる。よって、固定具４２に対する締結具４４の締め付け量が大きくなった場合でも、ヘッド装着部材２８の収容部２８ｋ内にて固定具４２が吐水管１６の径方向に変位する。この結果、締結具４４の軸方向にヘッド装着部材２８が引っ張られるのを防止でき、締結具４４の締め付け量によらず吐水管１６に対してヘッド装着部材２８を定位置に配置し易くなる。
【００４６】
吐水管１６に対してヘッド装着部材２８を定位置に配置し易くなるため、ヘッド装着部材２８に保持される吐水ヘッド１８も、締結具４４の締め付け量によらず吐水管１６に対して定位置に配置し易くなる。これにより、吐水ヘッド１８の外周面と吐水管１６の膨出部１６ｂの外周面とが管軸方向に段差なく面一につながるようにし易くなり、良好な意匠性、清掃性を得やすくなる。
【００４７】
また、吐水管１６に対してヘッド装着部材２８を定位置に配置し易くなるため、ヘッド装着部材２８の支持部２８ｂにより支持される第２センサ部材２６も、締結具４４の締め付け量によらず吐水管１６に対して定位置に配置し易くなる。これにより、第２センサ部材２６の露出面２６ｄと、吐水管１６の本管部１６ａの外周面とが段差なく面一につながるようにし易くなり、良好な意匠性、清掃性を得やすくなる。
【００４８】
また、ヘッド装着部材２８の収容部２８ｋと固定具４２との間にはＯリング４６が介装される。よって、吐水管１６及び固定具４２に対してヘッド装着部材２８が相対変位しようとしたとき、その相対変位量が増大するほどＯリング４６の弾性変形量が大きくなる。この結果、ヘッド装着部材２８の変位方向とは反対方向にＯリング４６からヘッド装着部材２８に付与される弾性復元力が大きくなることで、ヘッド装着部材２８の相対変位が効果的に抑えられ、吐水管１６に対するヘッド装着部材２８のがたつきを抑えられる。
【００４９】
特に、ヘッド装着部材２８は、吐水管１６内に配置するとき、吐水管１６の各開口部１６ｄ、１６ｇ、１６ｉから奥側に挿入されるため、吐水管１６の管軸方向に変位し易くなる。この点、本実施形態によれば、Ｏリング４６が固定具４２に対して吐水管１６の管軸方向の両側に配置されるため、吐水管１６に対するヘッド装着部材２８の管軸方向でのがたつきをＯリング４６により抑えられる点で大きな利点がある。
【００５０】
また、ヘッド装着部材２８は、Ｏリング４６の弾性復元力により、吐水管１６の変位規制部１６ｊに押し当てられた状態で保持される。よって、吐水管１６の管軸方向でのヘッド装着部材２８のがたつきを許容する隙間をなくした状態にできるうえ、Ｏリング４６の弾性復元力によりヘッド装着部材２８が変位規制部１６ｊから離れにくくなるため、吐水管１６に対するヘッド装着部材２８のがたつきを更に抑えられる。
【００５１】
また、ヘッド装着部材２８は保持部２８ｇの他に支持部２８ｂを有するため、以下の利点がある。従来の特許文献１の構造では、吐水ヘッドが保持されるヘッド装着部材と、センサ部材を支持するセンサホルダとが別体に構成されている。よって、吐水装置のメンテナンスのため、吐水管内からセンサ部材を取り出すうえでは、ヘッド装着部材を吐水管から取り出した後に、特別な工具を用いてセンサホルダを吐水管から取り出す必要があった。このため、余計な作業工数を要するうえ、吐水管の開口部から工具を差し込むような煩雑な作業を要していた。
【００５２】
この点、本実施形態によれば、ヘッド装着部材２８は保持部２８ｇの他に支持部２８ｂを一体に有する。よって、吐水管１６内から第２センサ部材２６を取り出すうえで、保持部２８ｇを掴んで引っ張れば、ヘッド装着部材２８全体を各開口部１６ｄ、１６ｇ、１６ｉを通して吐水管１６内から取り出せる。このため、第２センサ部材２６を取り出すために要する作業工数を減らせるうえ、特別な工具が不要となるため、良好な作業性を得られる。
【００５３】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００５４】
吐水装置１０は、建物、船舶等に設置される設備に用いられてよく、キッチンの他に、洗面台、手洗器、浴室等に用いられてもよい。また、吐水管１６が支持される基体としてシンク１０２を例示した。この基体は、キッチンや洗面台ではカウンターが例示されるが、この他にも、キッチン等の設備の外内を区画する壁部材等が含まれる。
【００５５】
吐水管１６は本管部１６ａの他に膨出部１６ｂを有する例を説明したが、膨出部１６ｂがなくともよい。この場合、本管部１６ａの第１開口部１６ｄを通して給水ホース２０が引き出し可能に構成され、ヘッド装着部材２８の収容部２８ｋは第１開口部１６ｄの近傍に設けられもよい。また、吐水管１６の本管部１６ａはグースネック状に形成される例を説明したが、直線状に形成されてもよい。
【００５６】
ヘッド装着部材２８は、保持部２８ｇと支持部２８ｂが一体である例を説明したが、これらが別体でもよい。また、ヘッド装着部材２８の収容部２８ｋは、第２開口部１６ｇの近傍に設けられる例を説明したが、その位置はこれに限られない。
【００５７】
また、ヘッド装着部材２８は、少なくとも保持部２８ｇ及び収容部２８ｋを有する構成としてもよく、支持部２８ｂ、脚部２８ｉ等がない構成としてもよい。ヘッド装着部材２８をこのような構成にするうえで、吐水装置１０は、第１センサ部材２４、第２センサ部材２６の両方がない構造としてもよいし、何れか一方のみある構造としてもよい。第１センサ部材２４のみがある構造とする場合、ヘッド装着部材２８にセンサ搭載部２８ａを設けて支持部２８ｂを設けない構成としてもよい。第２センサ部材２６のみがある構造とする場合、ヘッド装着部材２８に支持部２８ｂを設けてセンサ搭載部２８ａを設けない構成としてもよい。
【００５８】
Ｏリング４６は、ヘッド装着部材２８の収容部２８ｋの内壁面と固定具４２との間に介装される弾性部材の一例として説明した。弾性部材の形状は環状に限られず、環状体の周方向の一部を切り欠いた形状でもよい。また、弾性部材は、吐水管１６に対するヘッド装着部材２８のがたつきを抑える観点からは、固定具４２に対する相対位置は特に限られない。ただし、吐水管１６の管軸方向でのヘッド装着部材２８のがたつきを抑える観点からは、固定具４２に対して管軸方向の先端側又は奥側の少なくともいずれかに配置されるとよい。
【００５９】
ヘッド装着部材２８は、弾性部材により吐水管１６の管軸方向の奥側に向けて付与される弾性復元力によって、吐水管１６の変位規制部１６ｊに押し当てられた状態で保持される例を説明した。ヘッド装着部材２８は、弾性部材により管軸方向の奥側ではなく先端側に向けて付与される弾性復元力によって、吐水管１６の一部に押し当てられた状態で保持されてもよい。この場合、ヘッド装着部材２８が押し当てられる吐水管１６の変位規制部１６ｊは、吐水管１６の先端側ではなく奥側に臨むように設けられる段差面でもよい。
【００６０】
ヘッド装着部材２８の回転規制部２８ｋｂは、締結具４４の軸方向周りに固定具４２が回転しようとしたとき、固定具４２の被規制部４２ｂとの係合により、固定具４２の回転を規制できる形状であればよい。この観点から、回転規制部２８ｋｂは、四角形状の他にも三角形状等の多角形状でもよいし、真円形状以外の楕円形状等でもよい。つまり、回転規制部２８ｋｂは多角形状、楕円形状等の非真円状であってもよい。
【００６１】
第２センサ部材２６は、ヘッド装着部材２８の支持部２８ｂにより吐水管１６内での位置を保持される電装部材として説明した。この電装部材は、吐水ヘッド１８の吐水動作の制御に用いられる電気関係の部品であればよく、物体検知センサが搭載されるセンサ部材の他に、オンオフスイッチが搭載されるスイッチ部材等が含まれる。
【００６２】
締結具４４は、吐水管１６と固定具４２を締結できるものであればよい。締結具４４は、ビスの他に、たとえば、ボルト等や、スタッドボルトとナット等の組み合わせでもよい。
【符号の説明】
【００６３】
１０…吐水装置、１６…吐水管、１６ｄ…開口部、１８…吐水ヘッド、１８ａ…吐水口、２０…給水ホース、２０ａ…下流端部、２８…ヘッド装着部材、２８ｂ…支持部、２８ｇ…被装着部、２８ｋ…収容部、４２…固定具、４４…締結具、４６…Ｏリング（弾性部材）。
【図１】
0006382750.tif 000002
【図２】
0006382750.tif 000003
【図３】
0006382750.tif 000004
【図４】
0006382750.tif 000005
【図５】
0006382750.tif 000006
【図６】
0006382750.tif 000007
【図７】
0006382750.tif 000008
【図８】
0006382750.tif 000009
【図９】
0006382750.tif 000010
【図１０】
0006382750.tif 000011
【図１１】
0006382750.tif 000012
【図１２】
0006382750.tif 000013
【図１３】
0006382750.tif 000014